(57)【特許請求の範囲】
【請求項１】
所定の情報を印字可能な複数枚の用紙片を互いの間に長さ方向ギャップ領域をあけて長さ
方向に帯状に連成しているとともに、幅方向における互いの間に幅方向ギャップ領域をあけて前記用紙片を互いに隣り合わせて連成している多列カット用印字用紙であって、
前記幅方向ギャップ領域の部分において前記用紙片を幅方向に分離可能とする長さ方向スリットは、前記用紙片の長さよりわずかに短い長さを有し、その少なくともいずれか一方の長さ方向端部が、長さ方向ギャップ領域内に位置し、それぞれの長さ方向スリットの間に所定量の連続部分を残して形成し、前記長さ方向ギャップ領域に位置するとともに当該多列カット用印字用紙を横断する幅方向切断線において前記各用紙片の間を切断することにより、それぞれの前記用紙片を作成可能としていることを特徴とする多列カット用印字用紙。
【発明の詳細な説明】
【技術分野】
【０００１】
本発明は多列カット用印字用紙にかかるもので、とくに長さ方向に複数枚を、幅方向に多列に用紙片を連成した多列カット用印字用紙に関するものである。
【背景技術】
【０００２】
従来から、帯状のラベル連続体やタグ連続体などの印字用紙をそれぞれラベルプリンターやタグプリンターに装填し、所定の情報を印字するとともに、単葉の用紙片（ラベル片やタグ片）にカットすることが行われている。
【０００３】
しかして、これらの印字用紙が複数枚の用紙片を単列に連成している場合には、それぞれの用紙片の間をカットしても、用紙片が一枚一枚形成されるだけで、カット効率を向上させることが困難であるという問題がある。
【０００４】
さらに、当該印字用紙の使用分野によっては、必要な情報を印字したのち各用紙片を一組として使用する場合がある。
たとえば、医療分野においては、カルテ、注射や点滴、その他の薬剤容器に、同一内容の情報あるいは関連情報を複数枚の印字用紙に印字して、それぞれに貼り付けることにより、医療情報の適正な管理を可能としている。
同様に、反物や雑貨などの各種商品によっては、複数枚の印字用紙を同時に印字出力して各商品に表示したり、顧客用控えとレジ用控えとを同時に発行することが行われている。
さらに、各種のイベント会場などにおいて、識別用の名札などの表裏面に個別情報を印字したのち半分に折り曲げて、表裏面に同一の情報を表示することも行われている。
【０００５】
上述のような各種の使用分野ないしその使用形態によっては、複数枚の印字用紙を同時に印字発行してそれぞれの貼付け部位ないし表示部位に取り付ける必要があるが、従来のように単列で一枚一枚発行していたのでは、効率が悪いとともに、発行後の取扱いに支障が生じかねないという問題がある。
【０００６】
【特許文献１】特開２００２−１７８５７７号公報
【発明の開示】
【発明が解決しようとする課題】
【０００７】
本発明は以上のような諸問題にかんがみなされたもので、多列に形成した帯状の印字用紙を効率よく切断可能とした多列カット用印字用紙を提供することを課題とする。
【０００８】
また本発明は、各分野の各使用方法ないし使用形態に応じて、任意の形態で複数枚の印字済み用紙片を得ることができるようにした多列カット用印字用紙を提供することを課題とする。
【０００９】
また本発明は、同一ないし関連した情報をそれぞれ印字した複数枚の用紙片を同時に得ることができるとともに、発行後の取扱いにも融通性を持たせることができる多列カット用印字用紙を提供することを課題とする。
【課題を解決するための手段】
【００１０】
すなわち本発明は、長さ方向に複数枚を、幅方向に多列に用紙片を連成した印字用紙の各列の間に長さ方向スリットを、互いの間にわずかな連続部分（非カット部分）を残して形成することに着目したもので、所定の情報を印字可能な複数枚の用紙片を互いの間に長さ方向ギャップ領域をあけて長さ方向に帯状に連成しているとともに、幅方向における互いの間に幅方向ギャップ領域をあけて前記用紙片を互いに隣り合わせて連成している多列カット用印字用紙であって、前記幅方向ギャップ領域の部分において前記用紙片を幅方向に分離可能とする長さ方向スリットは、前記用紙片の長さよりわずかに短い長さを有し、その少なくともいずれか一方の長さ方向端部が、長さ方向ギャップ領域内に位置し、それぞれの長さ方向スリットの間に所定量の連続部分を残して形成し、前記長さ方向ギャップ領域に位置するとともに当該多列カット用印字用紙を横断する幅方向切断線において前記各用紙片の間を切断することにより、それぞれの前記用紙片を作成可能としていることを特徴とする多列カット用印字用紙である。
【００１１】
上記長さ方向スリットは、その少なくともいずれか一方の長さ方向端部が、上記長さ方向ギャップ領域内に位置していることができる。
【００１２】
上記長さ方向スリットは、上記用紙片の長さと同等の長さか、あるいは、より長い長さを有することができる。
【００１３】
上記長さ方向スリットは、上記用紙片の長さよりわずかに短い長さを有することができる。
【００１４】
上記わずかな連続部分は、上記長さ方向ギャップ領域に位置していることができる。
【００１５】
上記印字用紙としては、裏面に糊面（粘着剤層）を有するラベル連続体、あるいは糊面を有さないタグ連続体のいずれも適用することができる。
【発明の効果】
【００１６】
本発明による多列カット用印字用紙においては、用紙片を幅方向に分離可能とする長さ方向スリットを、それぞれの長さ方向スリットの間にわずかな連続部分を残して形成し、長さ方向ギャップ領域に位置する幅方向切断線において各用紙片の間を切断することにより、それぞれの用紙片を作成可能としているので、多列に連成した印字用紙を一度の切断操作で複数枚の用紙片を同時に得ることができて作業時間の短縮化が可能であるとともに、長さ方向スリットと幅方向切断線との相対位置関係によって、使用目的に応じた任意の形態で、すなわち、全部が切断されているか、あるいは一部がわずかに連続状態のままか、などの形態で、当該複数枚の用紙片の組を得ることができる。
【発明を実施するための最良の形態】
【００１７】
本発明は、複数枚の用紙片を長さ方向および幅方向に多列に連成した印字用紙を長さ方向スリットおよび幅方向切断線により任意の形態で一度に切断可能としたので、列ごとに同一情報あるいは相違する情報、さらには関連した情報を一度に印字可能であるとともに、使用目的や使用形態に応じた複数枚の単葉の用紙片を効率よく得ることができる多列カット用印字用紙を実現した。
【実施例】
【００１８】
つぎに本発明の第１の実施例による多列カット用印字用紙１を図１ないし図６にもとづき説明する。
図１は、多列カット用印字用紙１を装填して、印字および切断するためのプリンター（たとえばラベルプリンター２）の概略側面図である。
ラベルプリンター２は、多列カット用印字用紙１の供給部３と、移送路４と、位置検出部５と、印字部６と、切断部７と、入力部８と、表示部９と、制御部１０と、を有する。
【００１９】
供給部３は、帯状の多列カット用印字用紙１をロール状に保持して、移送路４に帯状に繰り出し可能である。
【００２０】
位置検出部５は、位置検出センサー１１を有し、多列カット用印字用紙１の裏面の位置検出用マーク１２（図２）を検出し、この検出信号にもとづき制御部１０が印字部６および切断部７における動作のタイミングを制御可能とする。
【００２１】
印字部６は、移送路４上に帯状に繰り出した多列カット用印字用紙１に印字を行うサーマルヘッド１３と、このサーマルヘッド１３に対向してその間に多列カット用印字用紙１を挟持して回転するプラテンローラー１４と、を有する。
なお、多列カット用印字用紙１が感熱発色剤層２０（図３）を有するいわゆるサーマル紙ではない場合には、感熱転写リボン１５を用いることができる。
【００２２】
切断部７は、印字部６の下流側に位置しているとともに、多列カット用印字用紙１に対して往復動する可動切断刃１６および固定刃１７を有し、印字済みの多列カット用印字用紙１を所定の長さに切断可能である。
【００２３】
入力部８は、キーボードやタッチパネルなどにより、多列カット用印字用紙１（用紙片１８Ａ、図２）への印字データなどの入力操作を行う。
【００２４】
表示部９は、入力された印字データなどをディスプレイなどにより表示する。
【００２５】
制御部１２は、上述の位置検出部５、印字部６、切断部７、入力部８および表示部９を制御する。
【００２６】
図２は、多列カット用印字用紙１の平面図、図３は、図２のＩＩＩ−ＩＩＩ線断面図、図４は、図２のＩＶ−ＩＶ線断面図である。
多列カット用印字用紙１は、これをラベル連続体の形態としてあり、とくに図３および図４に示すように、ラベル基材１８と、台紙１９と、を有し、ラベル基材１８の表面には感熱発色剤層２０を塗布形成し、ラベル基材１８の裏面には、粘着剤層２１を形成して、ラベル基材１８を台紙１９に仮着可能としている。なお、台紙１９の裏面には位置検出用マーク１２をあらかじめ印刷してある。
【００２７】
とくに図２に示すように、台紙１９上に多列に用紙片１８Ａを形成仮着している。
すなわち、所定の情報を印字可能な複数枚の用紙片１８Ａを互いの間に長さ方向ギャップ領域２２をあけて長さ方向に帯状に連成しているとともに、幅方向における互いの間に幅方向ギャップ領域２３をあけて用紙片１８Ａを互いに隣り合わせて多列（たとえば二列）に連成している。
【００２８】
図５は、長さ方向ギャップ領域２２および幅方向ギャップ領域２３の部分を示す要部拡大平面図であって、幅方向ギャップ領域２３の部分において用紙片１８Ａを幅方向に分離可能とする長さ方向スリット２４を、それぞれの長さ方向スリット２４の間にわずかな連続部分２５（非カット部分）を残して台紙１９に形成している。
長さ方向スリット２４は、その少なくともいずれか一方の長さ方向端部（前方側長さ方向端部２４Ａあるいは後方側長さ方向端部２４Ｂ）が、長さ方向ギャップ領域２２内に位置している。
図示の例では、前方側長さ方向端部２４Ａおよび後方側長さ方向端部２４Ｂがともに長さ方向ギャップ領域２２内に位置している。
長さ方向スリット２４は、用紙片１８Ａの長さと同等の長さか、あるいは、より長い長さを有する。
すなわち、上記わずかな連続部分２５は、長さ方向ギャップ領域２２に位置している。
【００２９】
長さ方向ギャップ領域２２のいずれかの部位において、この長さ方向スリット２４に直交するとともに、当該多列カット用印字用紙１を横断する幅方向切断線２６により多列カット用印字用紙１を切断する。
とくに図５に示すように、長さ方向ギャップ領域２２のどの部位（切断領域）に幅方向切断線２６を位置させるかによって、各種の形態に用紙片１８Ａを切断することができる。
第１の切断領域２７は、先行する用紙片１８Ａの最後端部１８Ｂと、長さ方向スリット２４の後方側長さ方向端部２４Ｂと、の間の領域である。
第２の切断領域２８は、後続する用紙片１８Ａの最前端部１８Ｃと、長さ方向スリット２４の前方側長さ方向端部２４Ａとの、間の領域である。
第３の切断領域２９は、わずかな連続部分２５が存在する領域である。
幅方向切断線２６を、上記第１の切断領域２７、第２の切断領域２８あるいは第３の切断領域２９のいずれかに交差するように位置させ、切断部７により各用紙片１８Ａの間を切断するように多列カット用印字用紙１を切断すれば、それぞれ単葉の用紙片１８Ａを二列状態で、かつ任意の形態で得ることができ、作成後の使用形態に融通性を持たせることができる。
【００３０】
こうした構成の多列カット用印字用紙１をラベルプリンター２により印字し切断することにより、それぞれの単葉の用紙片１８Ａに切断する方法について説明する。
印字部６において、多列カット用印字用紙１のそれぞれの用紙片１８Ａに必要な関連情報あるいは同一情報をそれぞれ印字し、切断部７の部分において多列カット用印字用紙１を切断する。
【００３１】
すなわち、図６は、多列カット用印字用紙１を切断する態様に応じて隣り合わせの状態で得られた一対二列の用紙片１８Ａの平面図である。
図６（１）は、用紙片１８Ａの最前端部１８Ｃおよび最後端部１８Ｂに幅方向切断線２６をそれぞれ位置させて切断した形態の平面図である。
図６（２）は、長さ方向スリット２４の前方側長さ方向端部２４Ａおよび後方側長さ方向端部２４Ｂに幅方向切断線２６をそれぞれ位置させて切断した形態の平面図である。
図６（３）は、第３の切断領域２９（わずかな連続部分２５）の中央部に幅方向切断線２６を位置させて切断した形態の平面図である。
図６（４）は、用紙片１８Ａの長さ方向前方において第３の切断領域２９（わずかな連続部分２５）の中央部に幅方向切断線２６を位置させるとともに、用紙片１８Ａの長さ方向後方において幅方向切断線２６を長さ方向スリット２４に交差するように位置させて切断した形態の平面図である。
【００３２】
図６（１）に示すように、用紙片１８Ａの最前端部１８Ｃおよび最後端部１８Ｂに幅方向切断線２６を長さ方向スリット２４に交差するように位置させた状態で、長さ方向ギャップ領域２２の第１の切断領域２７および第２の切断領域２８において、多列カット用印字用紙１の移送にともなって切断部７を制御部１０が二回（もちろん用紙片１８Ａの前後においては四回）動作させて切断することにより、用紙片１８Ａの最前端部１８Ｃおよび最後端部１８Ｂの部分には台紙１９が露出していないとともに、完全に分離した形態に二枚の単葉の用紙片１８Ａを作成可能である。
したがって、関連した情報を有する一組の用紙片１８Ａを直ちに使用可能である。
【００３３】
図６（２）に示すように、先行する用紙片１８Ａの部分の長さ方向スリット２４の後方側長さ方向端部２４Ｂに少なくとも交差するように第１の切断領域２７内に幅方向切断線２６を位置させて切断部７により多列カット用印字用紙１を切断するとともに、後続する用紙片１８Ａの部分の長さ方向スリット２４の前方側長さ方向端部２４Ａに少なくとも交差するように第２の切断領域２８内に幅方向切断線２６を位置させて切断部７により多列カット用印字用紙１を長さ方向ギャップ領域２２において二回（もちろん用紙片１８Ａの前後においては四回）切断すれば、用紙片１８Ａの周囲に台紙１９を露出させた状態でそれぞれ単葉の用紙片１８Ａを二列状態で得ることができる。
したがって、関連した情報を有する一組の用紙片１８Ａを直ちに使用することができるとともに、用紙片１８Ａの周囲に台紙１９が露出して位置しているので、用紙片１８Ａの裏面の粘着剤層２１がその周辺部に浸み出しても取扱いに不具合は生じない。
【００３４】
図６（３）に示すように、第３の切断領域２９（わずかな連続部分２５）の中央部に幅方向切断線２６を位置させて、長さ方向ギャップ領域２２において一回（もちろん用紙片１８Ａの前後においては二回）切断することにより、用紙片１８Ａの前後において台紙１９の部分にわずかな連続部分２５（の半分の長さ）を残しつつ、単葉の用紙片１８Ａを二列状態で得ることができる。
したがって、台紙１９にわずかな連続部分２５が用紙片１８Ａの前後に残っているので、用紙片１８Ａは、直ちに分離してしまうのではなく、二列の一体形態は保持可能としつつ、小さな力での分離操作によりわずかな連続部分２５を切り裂いて分離可能である。
あるいは、長さ方向スリット２４の部分において用紙片１８Ａを表裏に折り曲げて、識別ないし認識カードなどとしても使用することもできる。
【００３５】
図６（４）に示すように、用紙片１８Ａの前方において、第３の切断領域２９（わずかな連続部分２５）の中央部に幅方向切断線２６を位置させて切断するとともに、用紙粘１８Ａの後方において、第１の切断領域２７に幅方向切断線２６を位置させて切断することにより、すなわち、用紙片１８Ａの長さ方向前方において幅方向切断線２６をわずかな連続部分２５に交差するように位置させて切断するとともに、用紙片１８Ａの長さ方向後方において幅方向切断線２６を長さ方向スリット２４に交差するように位置させて切断することにより、用紙片１８Ａのいずれか一方の端部（図示の例では長さ方向前方）に、わずかな連続部分２５が残っている形態に用紙片１８Ａの一組を得ることができる。
したがって、台紙１９にわずかな連続部分２５が用紙片１８Ａの前方のみに残っているので、用紙片１８Ａは、直ちに分離してしまうのではなく、二列の一体形態は保持可能としつつ、小さな力での分離操作によりわずかな連続部分２５を切り裂いて分離可能である。
【００３６】
図７は、本発明の第２の実施例による多列カット用印字用紙３０の要部拡大平面図であって、多列カット用印字用紙３０においては、長さ方向スリット２４は、用紙片１８Ａの長さよりわずかに短い長さを有するとともに、その前方側長さ方向端部２４Ａおよび後方側長さ方向端部２４Ｂが左右に隣り合う用紙片１８Ａの間に位置している。
【００３７】
こうした構成の多列カット用印字用紙３０においても、幅方向切断線２６を長さ方向ギャップ領域２２における任意の部位（第１の切断領域２７、第２の切断領域２８あるいは第３の切断領域２９）に位置させて切断することにより、図６（３）に示したと同様の形態で一組（二列）の用紙片１８Ａを得ることができる。
【００３８】
図８は、本発明の第３の実施例による多列カット用印字用紙４０の要部拡大平面図であって、多列カット用印字用紙４０においては、長さ方向スリット２４は、用紙片１８Ａの長さと同一であるが、その前方側長さ方向端部２４Ａが左右に隣り合う用紙片１８Ａの間に位置しているとともに、後方側長さ方向端部２４Ｂが長さ方向ギャップ領域２２内に位置している。
【００３９】
こうした構成の多列カット用印字用紙４０においても、幅方向切断線２６を長さ方向ギャップ領域２２における任意の部位に位置させて切断することにより、任意の形態の一組の用紙片１８Ａを得ることができるが、とくに用紙片１８Ａの前方においてわずかな連続部分２５を必ず残し、図６（４）に示したと同様の形態で一組（二列）の用紙片１８Ａを得ることができる。
【図面の簡単な説明】
【００４０】
【図１】本発明の第１の実施例による多列カット用印字用紙１を装填して、印字および切断するためのラベルプリンター２の概略側面図である。
【図２】同、多列カット用印字用紙１の平面図である。
【図３】同、図２のＩＩＩ−ＩＩＩ線断面図である。
【図４】同、図２のＩＶ−ＩＶ線断面図である。
【図５】同、長さ方向ギャップ領域２２および幅方向ギャップ領域２３の部分を示す要部拡大平面図である。
【図６】同、多列カット用印字用紙１を切断する態様に応じて隣り合わせの状態で得られた一対二列の用紙片１８Ａの平面図であって、図６（１）は、用紙片１８Ａの最前端部１８Ｃおよび最後端部１８Ｂに幅方向切断線２６をそれぞれ位置させて切断した形態の平面図、図６（２）は、長さ方向スリット２４の前方側長さ方向端部２４Ａおよび後方側長さ方向端部２４Ｂに幅方向切断線２６をそれぞれ位置させて切断した形態の平面図、図６（３）は、第３の切断領域２９（わずかな連続部分２５）の中央部に幅方向切断線２６を位置させて切断した形態の平面図、図６（４）は、用紙片１８Ａの長さ方向前方において第３の切断領域２９（わずかな連続部分２５）の中央部に幅方向切断線２６を位置させるとともに、用紙片１８Ａの長さ方向後方において幅方向切断線２６を長さ方向スリット２４に交差するように位置させて切断した形態の平面図である。
【図７】本発明の第２の実施例による多列カット用印字用紙３０の要部拡大平面図である。
【図８】本発明の第３の実施例による多列カット用印字用紙４０の要部拡大平面図である。
【符号の説明】
【００４１】
１  多列カット用印字用紙（実施例、図２、図５）
２  ラベルプリンター（プリンター、図１）
３  供給部
４  移送路
５  位置検出部
６  印字部
７  切断部
８  入力部
９  表示部
１０  制御部
１１  位置検出センサー
１２  位置検出用マーク
１３  サーマルヘッド
１４  プラテンローラー
１５  感熱転写リボン
１６  可動切断刃
１７  固定刃
１８  ラベル基材
１８Ａ  ラベル基材１８による用紙片
１８Ｂ  先行する用紙片１８Ａの最後端部
１８Ｃ  後続する用紙片１８Ａの最前端部
１９  台紙
２０  感熱発色剤層
２１  粘着剤層
２２  長さ方向ギャップ領域
２３  幅方向ギャップ領域
２４  長さ方向スリット
２４Ａ  長さ方向スリット２４の前方側長さ方向端部（長さ方向端部）
２４Ｂ  長さ方向スリット２４の後方側長さ方向端部（長さ方向端部）
２５  わずかな連続部分
２６  幅方向切断線
２７  第１の切断領域
２８  第２の切断領域
２９  第３の切断領域（わずかな連続部分２５）
３０  多列カット用印字用紙（第２の実施例、図７）
４０  多列カット用印字用紙（第３の実施例、図８）
【図１】
0005335266.tif 000002
【図２】
0005335266.tif 000003
【図３】
0005335266.tif 000004
【図４】
0005335266.tif 000005
【図５】
0005335266.tif 000006
【図６】
0005335266.tif 000007
【図７】
0005335266.tif 000008
【図８】
0005335266.tif 000009